(57)【要約】【課題】接続パイプを有する縦型電気掃除機の使用性の向上を実現させ、安定性の良い縦型電気掃除機を提供する。【解決手段】集塵部１３を有する掃除機本体１０の下方に配された床用吸込具１９と、前記床用吸込具１９の接続部２４とホース２２の一端とを連通する接続パイプ２１と、前記ホース２２の他端と前記集塵部１３とを連通するホース接続パイプ２３とを備え、前記ホース接続パイプ２３を、前記接続部２４に設けたもので、床面からホース接続パイプ２３までの距離が短くなるので、廉価な構成で、使用者が、接続パイプ２１を使用する場合、掃除機本体１０のスタンド状態が安定し、転倒しにくくなり使い勝手が向上する。【選択図】図２
2012183146.tif 000002
【特許請求の範囲】
【請求項１】
集塵部を有する掃除機本体の下方に配された床用吸込具と、前記床用吸込具の接続部とホースの一端とを連通する接続パイプと、前記ホースの他端と前記集塵部とを連通するホース接続パイプとを備え、前記ホース接続パイプを、前記接続部に設けた縦型電気掃除機。
【請求項２】
ホース接続パイプを、掃除機本体を前方側から見て、横方向に突出配置させた請求項１に記載の縦型電気掃除機。
【請求項３】
ホース接続パイプの、ホースと接続される開口部を上方に設けた請求項１または２に記載の縦型電気掃除機。
【発明の詳細な説明】
【技術分野】
【０００１】
本発明は、下方に床用吸込具を有し、ホースと、接続パイプを共に係止する保持体を設け、接続パイプを着脱可能に備えた縦型電気掃除機に関するものである。
【背景技術】
【０００２】
従来のこの種の縦型電気掃除機は、特許文献１に記載されているようなものが一般的であった。この電気掃除機を図６、図７を用いて説明する。
【０００３】
図６は、従来の縦型電気掃除機の側面図、図７は、同縦型電気掃除機の要部断面図である。
【０００４】
図６、７において、従来の縦型電気掃除機の掃除機本体１の下方には、電動送風機２が内蔵され、掃除機本体１の中央には、電動送風機２と連通する集塵部３が配設さている。前記集塵部３の前記掃除機本体１の中央上部には、吸引用のホース４が接続され、ホース４の他端には、接続パイプ５が設けられている。前記接続パイプ５は、掃除機本体１の下方に着脱自在に設けられており、この接続パイプ５は、床用吸込具６と連通するように構成されているのが一般的であった。
【先行技術文献】
【特許文献】
【０００５】
【特許文献１】特開平１０−１２７５３６号公報
【発明の概要】
【発明が解決しようとする課題】
【０００６】
しかしながら、上記特許文献１に記載されたような従来の縦型電気掃除機の構成では、接続パイプ５からゴミを吸取る作業をした場合、ホース４は、集塵部３の前記掃除機本体１の中央上部に位置しているため、ホース４を横方向に引伸ばした時、床面から、ホース４の接続部までの距離Ｌが長くなり、掃除機本体１が不安定になって転倒しやすく、また、接続パイプ５を使った高いところの掃除にも支障を来たし、面倒であった。
【０００７】
本発明は、上記従来の課題を解決するものであって、接続パイプを使った掃除中に掃除機本体の転倒性を向上させ、転倒生じ難い縦型電気掃除機を提供することを目的とする。
【課題を解決するための手段】
【０００８】
上記従来の課題を解決するために、本発明の縦型電気掃除機は、集塵部を有する掃除機本体の下方に配された床用吸込具と、前記床用吸込具の接続部とホースの一端とを連通する接続パイプと、前記ホースの他端と前記集塵部とを連通するホース接続パイプとを備え、前記ホース接続パイプを、前記接続部に設けたもので、床面からホース接続パイプまでの距離が短くなるので、廉価な構成で、使用者が、接続パイプを使用する場合、掃除機本体のスタンド状態が安定し、転倒しにくくなり使い勝手が向上する。
【発明の効果】
【０００９】
本発明の縦型電気掃除機は、ホースと連通する接続パイプを備えた縦型電気掃除機で、接続パイプの使用時に、掃除機本体の転倒が生じ難く使い勝手の良い縦型電気掃除機を提供するものである。
【図面の簡単な説明】
【００１０】
【図１】本発明の実施の形態１における縦型電気掃除機の全体斜視図
【図２】同縦型電気掃除機の後面から見た全体斜視図
【図３】同縦型電気掃除機の断面図
【図４】同縦型電気掃除機の背面から見た部分断面図
【図５】同縦型電気掃除機の接続パイプを外した状態の斜視図
【図６】従来の縦型電気掃除機の側面図
【図７】同縦型電気掃除機の要部断面図
【発明を実施するための形態】
【００１１】
第１の発明は、集塵部を有する掃除機本体の下方に配された床用吸込具と、前記床用吸込具の接続部とホースの一端とを連通する接続パイプと、前記ホースの他端と前記集塵部とを連通するホース接続パイプとを備え、前記ホース接続パイプを、前記接続部に設けたもので、床面からホース接続パイプまでの距離が短くなるので、廉価な構成で、使用者が、接続パイプを使用する場合、掃除機本体のスタンド状態が安定し、転倒しにくくなり使い勝手が向上する。
【００１２】
第２の発明は、特に、第１の発明のホース接続パイプを、掃除機本体を前方側から見て、横方向に突出配置させたもので、掃除機本体を後方に回動させても、ホース接続パイプが、掃除機本体の回動の妨げになることなく使用性が向上する。
【００１３】
第３の発明は、特に、第１又は第２の発明のホース接続パイプの、ホースと接続される開口部を上方に設けたもので、ホースに加わる曲げ応力が軽減され、耐久性の向上が図れる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における縦型電気掃除機の全体斜視図、図２は、同縦型電気掃除機の後面から見た全体斜視図、図３は、同縦型電気掃除機の断面図、図４は、同縦型電気掃除機の背面から見た部分断面図、図５は、同縦型電気掃除機の接続パイプを外した状態の斜視図である。
【００１６】
図１〜図３において、掃除機本体１０の下方には、電動送風機１１を内蔵する電動送風機室１２、中央には、集塵部１３を備え、この集塵部１３の上側には、電源供給用のコード１４が収容されるコードリール収容部１５が備えられている。掃除機本体１０の上端には運搬用ハンドル１６が設けられ、掃除機本体１０の上端の後方には、操作用で延長管１７を兼ね備えたハンドル１８が具備されている。
【００１７】
掃除機本体１０の下方には、床用吸込具１９が上下に首振り回動可能に取り付けられ、この床用吸込具１９は、掃除機本体１０の下方に設けられた保持体２０と着脱自在に設けられている。もう一方での保持体２０には、接続パイプ２１と着脱自在に設けられており、この接続パイプ２１は、ホース２２と連通されており、一方、ホース２２の他端のホース接続パイプ２３は、集塵部１３と連通されている。床用吸込具１９と掃除機本体１０を連結する、接続部２４には、ホース接続パイプ２３が接続されている。
【００１８】
図３、図４において、床用吸込具１９の吸込み口２５から吸引された塵埃の吸引通路２６は、矢印方向で示すように、床用吸込具１９の吸込み口２５から、接続部２４を介し保持体２０を通り抜け、接続パイプ２１へと流れる。
【００１９】
接続パイプ２１から流れた塵埃は、ホース２２を通り、ホース接続パイプ２３を介し、接続部２４へと流れ、接続部２４から流れ出た塵埃は、吸引通路２６を通り集塵部１３へと堆積される通路構成で形成されている。
【００２０】
また、図４において、保持体２０は、掃除機本体１０の長手方向に対し略Ｌ字状に形成され、一端にはテーパー嵌合にて接続パイプ２１と着脱自在に設けられている。
【００２１】
また、ホース２２の他端で、集塵部１３と連通するホース接続パイプ２３も、掃除機本体１０の長手方向に対し略Ｌ字状で、かつ掃除機本体１０を前方から見て横方向に突出して配置されている。
【００２２】
上記構成により、接続パイプ２１を使用するため、図５で示すように、使用者が、接続パイプ２１を保持体２０から外した時、床面から、ホース接続パイプ２３までの距離Ａが短くなり、廉価な構成で、掃除機本体１０のスタンド状態での安定性が向上し転倒しにくくなり使い勝手が向上する。
【００２３】
図４において、保持体２０は、掃除機本体１０の長手方向に対し略Ｌ字状に形成され、掃除機本体１０の後方で且つ、下方の電動送風機１１近傍に配設され、テーパー嵌合にて接続パイプ２１と着脱自在に設けられていることにより、接続パイプ２１は、保持体２０との収納動作及び、着脱動作が簡素化され使用性が向上する。
【００２４】
また、図４において、ホース２２の他端で、集塵部１３と連通するホース接続パイプ２３が、掃除機本体１０の長手方向に対し略Ｌ字状で、かつ掃除機本体１０を前方から見て横方向に突出して配置されていることにより、掃除機本体１０を後方に回動させても、ホース接続パイプ２３が、掃除機本体１０の回動の妨げになることがなく使用性が向上する。
【００２５】
また、図４、図５において、ホース２２の他端で、集塵部１３と連通するホース接続パイプ２３で、ホース２２と連結される開口部２７は、掃除機本体１０の長手方向に対し上方に向けられている。
【００２６】
上記構成より、使用者が接続パイプ２１を保持体２０から外して使用する時、ホース２２に加わる曲げ応力が軽減され、耐久性の向上が図れる。
【産業上の利用可能性】
【００２７】
以上のように、本発明に係る接続パイプを具備した縦型電気掃除機は、使い勝手及び安定性の向上を実現できるので、各種家庭用、業務用縦型電気掃除機に適用できる。
【符号の説明】
【００２８】
１０  掃除機本体
１３  集塵部
１９  床用吸込具
２１  接続パイプ
２２  ホース
２３  ホース接続パイプ
２４  接続部
２６  吸引通路
２７  開口部
【図１】
2012183146.tif 000003
【図２】
2012183146.tif 000004
【図３】
2012183146.tif 000005
【図４】
2012183146.tif 000006
【図５】
2012183146.tif 000007
【図６】
2012183146.tif 000008
【図７】
2012183146.tif 000009